(57)【要約】      （修正有）【課題】サイズを変更することができる展示パネルを提供する。【解決手段】紙製の展示パネル１は、ボード部２と支持台３とを備え、ボード部２は、一対の本体板２０、２１と二対の拡張板２２、２３とを有し、提示面Ｓを対向させるように本体板２１が折り返され、支持台３および二対の拡張板２２、２３が一対の本体板２０、２１の間に挟み込まれることで、ボード部２が輸送ケースになり、他面を対向させるように本体板２１が折り返され、二対の拡張板２２、２３が一対の本体板２０、２１の間に挟み込まれることで、ボード部２が標準ボード１１になり、二対の拡張板２２、２３が一対の本体板２０、２１と同一面を成すように開かれ、他面を対向させるように一方の本体板２０に対して他方の本体板２１が折り返されることで、ボード部２が拡張ボードになり、支持台３は、標準ボード１１または拡張ボードを起立姿勢に支持する。【選択図】図１
0003232697.tif 000002
【実用新案登録請求の範囲】
【請求項１】
輸送ケース（１０）として兼用される紙製の展示パネル（１）であって、
一面を情報の提示面（Ｓ）とされたボード部（２）と、
一部を屈曲させることで自立する支持台（３）と、を備え、
前記ボード部は、
第１方向の一端部で連設された一対の本体板（２０，２１）と、
一対の前記本体板の第１方向に直交する第２方向の両端部に連設された二対の拡張板（２２，２３）と、を有し、
平坦に折り畳まれた前記支持台が前記本体板の前記提示面に重ねられ、二対の前記拡張板が一対の前記本体板の前記提示面に重なるように折り返され、前記提示面を対向させるように一方の前記本体板に対して他方の前記本体板が折り返され、前記支持台および二対の前記拡張板が一対の前記本体板の間に挟み込まれることで、前記ボード部が前記輸送ケースになり、
前記支持台が取り出され、二対の前記拡張板が一対の前記本体板の他面に重なるように折り返され、前記他面を対向させるように一方の前記本体板に対して他方の前記本体板が折り返され、二対の前記拡張板が一対の前記本体板の間に挟み込まれることで、前記ボード部が標準ボード（１１）になり、
前記支持台が取り出され、二対の前記拡張板のうち少なくとも第２方向の片側の２つの前記拡張板が一対の前記本体板と同一面を成すように開かれ、前記他面を対向させるように一方の前記本体板に対して他方の前記本体板が折り返されることで、前記ボード部が前記標準ボードよりも第２方向に長い拡張ボード（１２）になり、
前記支持台は、前記標準ボードまたは前記拡張ボードを起立姿勢に支持することを特徴とする展示パネル。
【請求項２】
二対の前記拡張板のうちいずれか一対の前記拡張板の他面に貼付され、他方の粘着面が剥離紙（２７Ａ）で覆われた両面テープ（２７）と、
二対の前記拡張板のうちいずれか一対の前記拡張板の前記他面に前記両面テープを横断するように貼付され、剥がされた前記剥離紙の分離を規制する規制テープ（２８）と、を有し、
前記ボード部を前記拡張ボードにする場合、前記他面を対向させた２つの前記拡張板は、前記規制テープに分離規制された前記剥離紙を挟み込み、前記両面テープを介して接合されることを特徴とする請求項１に記載の展示パネル。
【請求項３】
前記両面テープは、第１方向に沿って延びるように貼付され、
前記規制テープは、剥がされた前記剥離紙を前記本体板に向けて折り返す境界となるように前記両面テープを斜めに横断していることを特徴とする請求項２に記載の展示パネル。
【請求項４】
前記支持台は、
脚本体板（３０）と、
前記脚本体板の横方向の両端に屈曲可能に連設された一対の屈曲板（３１）と、を有し、
一対の前記屈曲板の上部には、前記他面を対向させた一対の前記本体板を嵌合させる一対の嵌合溝（３３）が凹設されていることを特徴とする請求項１ないし３のいずれか１項に記載の展示パネル。
【請求項５】
各々の前記拡張板は、少なくとも１つの折曲線（Ｌ４）によって複数の分割板（４０，４１）に区画され、
前記ボード部を前記輸送ケースまたは前記標準ボードにする場合、全ての前記分割板が一対の前記本体板の間に挟み込まれ、
前記ボード部を前記拡張ボード（１３，１４）にする場合、複数の前記分割板のうち少なくとも第２方向の片側の２つの前記分割板が一対の前記本体板と同一面を成すように開かれ、前記他面を対向させるように一方の前記本体板に対して他方の前記本体板が折り返されることを特徴とする請求項１ないし４のいずれか１項に記載の展示パネル。
【考案の詳細な説明】
【技術分野】
【０００１】
本考案は、輸送ケースとして兼用される紙製の展示パネルに関する。
【背景技術】
【０００２】
輸送ケースを別途用意する必要がない輸送ケース兼用ボードが知られている（特許文献１）。輸送ケース兼用ボードは、横方向の一辺で連設された一対の面板と、一方の面板に連設された重合板と、一方の面板から重合板へ切目線を入れることで形成された複数の脚体と、を備えている。輸送ケース兼用ボードは、重合板を脚体と共に一方の面板に対向するように折り曲げ、重合板に他方の面板を重ねて閉じることでケース形態になり、脚体を切り起こし、重合板を挟んで重ね合わせた一対の面板を脚体の先端の差込スリットに差し込み、脚体を起立させることでボード形態になる。
【先行技術文献】
【特許文献】
【０００３】
【特許文献１】実用新案登録第３２２７５２４号公報
【考案の概要】
【考案が解決しようとする課題】
【０００４】
ボード形態とされた輸送ケース兼用ボード（以下、単に「ボード」という。）は、ＰＯＰ（Ｐｏｉｎｔ  Ｏｆ  Ｐｕｒｃｈａｓｅ）広告として店頭に設置される。この際、例えば、設置場所の広さ等に応じてボードの大きさを変更したいことがある。しかしながら、上記したボードは１つのサイズに固定されており、ボードのサイズを変更することができなかった。
【０００５】
本考案は、上記事情を考慮し、サイズを変更することができる展示パネルを提供する。
【課題を解決するための手段】
【０００６】
本考案は、輸送ケースとして兼用される紙製の展示パネルであって、一面を情報の提示面とされたボード部と、一部を屈曲させることで自立する支持台と、を備え、前記ボード部は、第１方向の一端部で連設された一対の本体板と、一対の前記本体板の第１方向に直交する第２方向の両端部に連設された二対の拡張板と、を有し、平坦に折り畳まれた前記支持台が前記本体板の前記提示面に重ねられ、二対の前記拡張板が一対の前記本体板の前記提示面に重なるように折り返され、前記提示面を対向させるように一方の前記本体板に対して他方の前記本体板が折り返され、前記支持台および二対の前記拡張板が一対の前記本体板の間に挟み込まれることで、前記ボード部が前記輸送ケースになり、前記支持台が取り出され、二対の前記拡張板が一対の前記本体板の他面に重なるように折り返され、前記他面を対向させるように一方の前記本体板に対して他方の前記本体板が折り返され、二対の前記拡張板が一対の前記本体板の間に挟み込まれることで、前記ボード部が標準ボードになり、前記支持台が取り出され、二対の前記拡張板のうち少なくとも第２方向の片側の２つの前記拡張板が一対の前記本体板と同一面を成すように開かれ、前記他面を対向させるように一方の前記本体板に対して他方の前記本体板が折り返されることで、前記ボード部が前記標準ボードよりも第２方向に長い拡張ボードになり、前記支持台は、前記標準ボードまたは前記拡張ボードを起立姿勢に支持する。
【０００７】
この場合、二対の前記拡張板のうちいずれか一対の前記拡張板の他面に貼付され、他方の粘着面が剥離紙で覆われた両面テープと、二対の前記拡張板のうちいずれか一対の前記拡張板の前記他面に前記両面テープを横断するように貼付され、剥がされた前記剥離紙の分離を規制する規制テープと、を有し、前記ボード部を前記拡張ボードにする場合、前記他面を対向させた２つの前記拡張板は、前記規制テープに分離規制された前記剥離紙を挟み込み、前記両面テープを介して接合されてもよい。
【０００８】
この場合、前記両面テープは、第１方向に沿って延びるように貼付され、前記規制テープは、剥がされた前記剥離紙を前記本体板に向けて折り返す境界となるように前記両面テープを斜めに横断してもよい。
【０００９】
この場合、前記支持台は、脚本体板と、前記脚本体板の横方向の両端に屈曲可能に連設された一対の屈曲板と、を有し、一対の前記屈曲板の上部には、前記他面を対向させた一対の前記本体板を嵌合させる一対の嵌合溝が凹設されてもよい。
【００１０】
この場合、各々の前記拡張板は、少なくとも１つの折曲線によって複数の分割板に区画され、前記ボード部を前記輸送ケースまたは前記標準ボードにする場合、全ての前記分割板が一対の前記本体板の間に挟み込まれ、前記ボード部を前記拡張ボードにする場合、複数の前記分割板のうち少なくとも第２方向の片側の２つの前記分割板が一対の前記本体板と同一面を成すように開かれ、前記他面を対向させるように一方の前記本体板に対して他方の前記本体板が折り返されてもよい。
【考案の効果】
【００１１】
本考案によれば、展示パネルのサイズを変更することができる。
【図面の簡単な説明】
【００１２】
【図１】本考案の一実施形態に係る展示パネル（標準ボード）を示す斜視図である。
【図２】本考案の一実施形態に係る展示パネル（拡張ボード）を示す斜視図である。
【図３】本考案の一実施形態に係る展示パネル（輸送ケース）を示す斜視図である。
【図４】本考案の一実施形態に係る展示パネルのボード部のブランクを示す平面図である。
【図５】本考案の一実施形態に係る展示パネルの支持台のブランクを示す平面図である。
【図６】本考案の一実施形態に係る展示パネルであって、ボード部に支持台を収容して輸送ケースに変形させる過程を示す斜視図である。
【図７】本考案の一実施形態に係る展示パネルであって、ボード部に支持台を収容した状態を示す斜視図である。
【図８】本考案の一実施形態に係る展示パネルであって、ボード部を標準ボードに変形させる過程を示す斜視図である。
【図９】本考案の一実施形態に係る展示パネルであって、標準ボードを支持台に装着する過程を示す斜視図である。
【図１０】本考案の一実施形態に係る展示パネルであって、ボード部を拡張ボードに変形させる過程を示す斜視図である。
【図１１】本考案の一実施形態の変形例に係る展示パネルのボード部のブランクを示す平面図である。
【図１２Ａ】本考案の一実施形態の変形例に係る展示パネルであって、標準ボードの一部を示す断面図である。
【図１２Ｂ】本考案の一実施形態の変形例に係る展示パネルであって、第１の拡張ボードの一部を示す断面図である。
【図１２Ｃ】本考案の一実施形態の変形例に係る展示パネルであって、第２の拡張ボードの一部を示す断面図である。
【考案を実施するための形態】
【００１３】
以下、添付の図面を参照しつつ、本考案の実施形態について説明する。なお、図面に示すＦｒ、Ｒｒ、Ｌ、Ｒ、Ｕ、Ｄは、前、後、左、右、上、下を示している。前後方向、左右方向（第２方向）および上下方向（第１方向）は互いに直交している。本明細書では方向や位置を示す用語を用いるが、それらの用語は説明の便宜のために用いるものであって、本考案の技術的範囲を限定するものではない。また、方向や位置を示す用語は、包装箱を使用する状態での方向や位置を基準にしている。
【００１４】
［展示パネル］
図１ないし図５を参照して、展示パネル１について説明する。図１は展示パネル１（標準ボード１１）を示す斜視図である。図２は展示パネル１（拡張ボード１２）を示す斜視図である。図３は展示パネル１（輸送ケース１０）を示す斜視図である。図４はボード部２のブランク２Ａを示す平面図である。図５は支持台３のブランク３Ａを示す平面図である。
【００１５】
図１および図２に示すように、展示パネル１は、一面を情報の提示面Ｓとされたボード部２と、一部を屈曲させることで自立する支持台３と、を備えている。展示パネル１は、特定の商品（図示せず）と共に店頭に展示され、その商品の説明や広告等の情報（図面では一例として「ｓａｍｐｌｅ」の文字を表示した）を提示するための紙製の媒体である。詳細は後述するが、展示パネル１は、ボード部２（提示面Ｓ）の左右方向の寸法を２段階に変更可能に構成されている。また、図３に示すように、展示パネル１（ボード部２）は、試供品やＰＲ（Ｐｕｂｌｉｃ  Ｒｅｌａｔｉｏｎｓ）資料等の物品（図示せず）を梱包する輸送ケース１０として兼用される。
【００１６】
［ボード部のブランク］
ボード部２は、図４に示すブランク２Ａを組み立てることで形成される。ブランク２Ａは、１枚の紙製の段ボールシートを抜型等で打ち抜いて形成されている。段ボールシートは、例えば、波状の中しん９Ａに表ライナ９Ｂと裏ライナ９Ｃ（後述する図６も参照）とを貼り合せた両面段ボールシートである。なお、図４は、表ライナ９Ｂ側を示している。本明細書では、段ボールシートの中しん９Ａと平行な方向を「段方向」と呼び、段方向に直交する方向を「流れ方向」と呼ぶこととする。図面に示す「Ｘ」は「段方向」を示し、「Ｙ」は「流れ方向」を示している。
【００１７】
ボード部２のブランク２Ａは、一対の本体板２０，２１と、二対の拡張板２２，２３と、を備えている。ボード部２（後述する固定片２５を除く。）の表ライナ９Ｂ（一面）は、広告等の情報が印刷される提示面Ｓとなっている（図４では「ｓａｍｐｌｅ」の文字は省略した。）。なお、提示面Ｓに提示する情報は印刷に限らず、例えば、ＰＯＰ広告等の情報が提示面Ｓに貼付されたり、書き込まれたりしてもよい（図示せず）。また、ボード部２の裏ライナ９Ｃ（他面）に展示パネル１の組立手順等の情報が印刷されてもよい（図示せず）。
【００１８】
＜本体板＞
本体板２０，２１は、流れ方向を長辺とする略四角形状に形成されている。一対の本体板２０，２１は、段方向に一列に並べられ、一対の第１折曲線Ｌ１を介して連設されている。一対の第１折曲線Ｌ１は流れ方向に平行に延設され、一対の第１折曲線Ｌ１の間には第１額縁部２４が設けられている。詳細は後述するが、第１額縁部２４は展示パネル１の上端を構成し、一対の本体板２０，２１は上端部（第１方向の一端部）で連設されている。
【００１９】
（固定片）
本体板２０の段方向の自由端（下端）には、一対の第２折曲線Ｌ２を介して固定片２５が連設されている。一対の第２折曲線Ｌ２は流れ方向に平行に延設され、一対の第２折曲線Ｌ２の間には第２額縁部２６が設けられている。展示パネル１（ボード部２）が輸送ケース１０にされた状態で、固定片２５および第２額縁部２６は一対の第２折曲線Ｌ２で折り曲げられ、固定片２５は本体板２１に接着される。
【００２０】
＜拡張板＞
二対の拡張板２２，２３は、第３折曲線Ｌ３を介して一対の本体板２０，２１の流れ方向（第２方向）の両端部に連設されている。拡張板２２，２３は、段方向を長辺とする略長方形状に形成されている。拡張板２２，２３の段方向の寸法は本体板２０，２１の段方向の寸法と略同一であり、拡張板２２，２３の流れ方向の寸法は本体板２０，２１の流れ方向の寸法の半分未満である。
【００２１】
（両面テープ）
一対の拡張板２２の裏ライナ９Ｃ（他面）には、両面テープ２７が一方の粘着面で貼付されている。両面テープ２７の他方の粘着面は剥離紙２７Ａで覆われている。両面テープ２７は、拡張板２２の流れ方向の中央よりも若干外側で、段方向（上下方向）に沿って延びるように貼付されている。
【００２２】
（規制テープ）
一対の拡張板２２の裏ライナ９Ｃ（他面）には、両面テープ２７を挟んで流れ方向の両側に貼付マークＭが印刷されており、その貼付マークＭを指標として、規制テープ２８が両面テープ２７を横断するように貼付されている。規制テープ２８は、例えば、セロファン製の粘着テープであって、図４において、流れ方向の中央側（内側）から外側に向かって下方に傾斜するように両面テープ２７の下部を横断している。詳細には、規制テープ２８は、剥離紙２７Ａで覆われた両面テープ２７に対して略４５度の角度で貼付されている。詳細は後述するが、剥がされた剥離紙２７Ａは規制テープ２８に沿って本体板２１に向かうように折り返され、流れ方向に沿って延在する。
【００２３】
なお、第３折曲線Ｌ３は段ボールシートを裏ライナ９Ｃ側から厚み方向に潰した汎用罫線であり、第１折曲線Ｌ１および第２折曲線Ｌ２は汎用罫線上に複数の切目を入れたリード罫である。上記した第１〜第３折曲線Ｌ１〜Ｌ３は、汎用罫線やリード罫に限らず、例えば、ミシン目等、段ボールシートを所望の向きに折り曲げるための構造であれば如何なるものでもよい。
【００２４】
［支持台のブランク］
次に、支持台３のブランク３Ａについて説明する。支持台３は、図５に示すブランク３Ａを組み立てることで形成される。ブランク３Ａは、１枚の合紙を抜型等で打ち抜いて形成されている。合紙は、例えば、コートボール等の厚紙を３枚積層したものである。なお、図５は、表側を示している。本明細書では、合紙の紙目と平行な方向を「紙目方向」と呼び、紙目方向に直交する方向を「直交方向」と呼ぶこととする。図面に示す「Ｖ」は「紙目方向」を示し、「Ｗ」は「直交方向」を示している。
【００２５】
支持台３のブランク３Ａは、脚本体板３０と、一対の屈曲板３１と、を有している。なお、支持台３の表裏両面は、任意の色に塗工された化粧面となっている。また、支持台３の表裏両面または片面にロゴや広告等の情報が印刷されてもよい（図示せず）。
【００２６】
＜脚本体板＞
脚本体板３０は、直交方向を長辺とする略四角形状に形成されている。脚本体板３０の紙目方向（上下方向）の寸法は本体板２０，２１の段方向の寸法よりも若干短く、脚本体板３０の直交方向（左右方向）の寸法は本体板２０，２１の流れ方向の寸法よりも短い。
【００２７】
＜屈曲板＞
一対の屈曲板３１は、屈曲線Ｌ５を介して脚本体板３０の直交方向（横方向）の両端に連設されている。一対の屈曲板３１は、屈曲線Ｌ５を軸にして屈曲可能に連設されている。各々の屈曲板３１は、紙目方向の一端（下端）から他端（上端）に向かって徐々に幅狭くなる略台形状に形成されている。各々の屈曲板３１の下部には、一部を凹ませることで相対的に突出する脚部３２が形成されている。
【００２８】
一対の屈曲板３１の上部には、一対の嵌合溝３３が凹設されている。嵌合溝３３は、屈曲板３１の上端から下方に向かって切り込まれ、裏ライナ９Ｃ（他面）を対向させた一対の本体板２０，２１を嵌合させるための溝である。嵌合溝３３の紙目方向に延びた内縁には複数の嵌合凸部３３Ａが突設され、嵌合溝３３の内縁は凹凸形状を成している。１つの嵌合溝３３において直交方向に対向する嵌合凸部３３Ａは、紙目方向（上下方向）にずれた位置に形成されている。なお、一対の屈曲板３１の上端は、嵌合溝３３を挟んで直交方向の外側が内側よりも一段下がっている。
【００２９】
なお、屈曲線Ｌ５は、合紙を裏面から厚みの半分程度まで切り込んだ半切線であるが、これに限らず、合紙を所望の向きに折り曲げるための構造であれば如何なるものでもよい。
【００３０】
［展示パネルの作用］
次に、展示パネル１の作用について説明する。この展示パネル１は、輸送するための形態と、店頭に展示するための形態と、に変形可能に構成されている。具体的には、展示パネル１のボード部２は、支持台３やＰＲ資料等の物品を収容する輸送ケース１０になり（図３参照）、且つ、店頭に設置されて商品の広告等の情報を提示する標準ボード１１または拡張ボード１２になる（図１および図２参照）。
【００３１】
＜輸送ケース＞
まず、図３、図６および図７を参照して、ボード部２を輸送ケース１０にする場合について説明する。図６はボード部２に支持台３を収容して輸送ケース１０に変形させる過程を示す斜視図である。図７はボード部２に支持台３を収容した状態を示す斜視図である。
【００３２】
図６に示すように、作業者は、支持台３の一対の屈曲板３１を脚本体板３０の表面に重ねるように屈曲線Ｌ５に沿って折り返すことで、支持台３を平坦に折り畳む。作業者は、平坦に折り畳まれた支持台３やＰＲ資料等の物品を本体板２０の提示面Ｓ（表ライナ９Ｂ）に重ねる（載置する）（図７も参照）。図７に示すように、作業者は、一対の拡張板２２を本体板２０の提示面Ｓ（および支持台３）に重ねるように第３折曲線Ｌ３に沿って折り返す。また、作業者は、一対の拡張板２３を本体板２１の提示面Ｓに重ねるように第３折曲線Ｌ３に沿って折り返す（図６も参照）。
【００３３】
続いて、作業者は、提示面Ｓを対向させるように一方の本体板２０に対して他方の本体板２１を折り返す。詳細には、第１額縁部２４と本体板２１とが一対の第１折曲線Ｌ１に沿って内向きに折り曲げられる（図７の矢印参照）。第１額縁部２４は本体板２０に対して略直角に折り曲げられ、本体板２１は第１額縁部２４に対して略直角に折り曲げられる。すると、支持台３および二対の拡張板２２，２３が一対の本体板２０，２１の間に挟み込まれる。
【００３４】
次に、作業者は、固定片２５の表ライナ９Ｂ（または本体板２１の裏ライナ９Ｃ）に接着剤を塗布し、第２額縁部２６と固定片２５とを一対の第２折曲線Ｌ２に沿って内向きに折り曲げる（図７の矢印参照）。第２額縁部２６は本体板２０に対して略直角に折り曲げられ、固定片２５は第２額縁部２６に対して略直角に折り曲げられ、固定片２５は接着剤を介して本体板２１に接着される（図３参照）。
【００３５】
以上によって、ボード部２が輸送ケース１０になる（図３参照）。輸送ケース１０に変形されたボード部２（展示パネル１）が店舗に輸送される。なお、固定片２５は、接着剤に代えて、両面テープや粘着テープによって本体板２１に固定されてもよい（図示せず）。
【００３６】
＜標準ボード＞
次に、図１、図８および図９を参照して、ボード部２を標準ボード１１にする場合について説明する。図８はボード部２を標準ボード１１に変形させる過程を示す斜視図である。図９は標準ボード１１を支持台３に装着する過程を示す斜視図である。
【００３７】
店舗に輸送された輸送ケース１０（展示パネル１）は店頭でユーザ（店員等）によって開封される。ユーザは、固定片２５を本体板２１から引き剥がし、本体板２１を開き、折り畳まれた支持台３を取り出す。図９に示すように、ユーザは、支持台３の一対の屈曲板３１を引き起こし、脚本体板３０に対して略直交させる。これにより、一対の屈曲板３１が脚本体板３０の両端から前方に伸長し、平面から見て略Ｕ字状（コ字状）となる支持台３が形成される。支持台３は、脚本体板３０の下端と一対の屈曲板３１の脚部３２とを設置面に接触させて自立する。
【００３８】
次に、図８に示すように、ユーザは、提示面Ｓ（表ライナ９Ｂ）に重なった二対の拡張板２２，２３を、一対の本体板２０，２１の裏ライナ９Ｃ（他面）に重ねるように第３折曲線Ｌ３に沿って折り返す。つまり、ユーザは、二対の拡張板２２，２３を表裏反転させる。また、ユーザは、剥がした固定片２５（第２額縁部２６）も反転させ、反転させた一対の拡張板２２および本体板２０に重ねる。
【００３９】
続いて、ユーザは、裏ライナ９Ｃ（他面）を対向させるように一方の本体板２０に対して他方の本体板２１を折り返し（図８の矢印参照）、二対の拡張板２２，２３および固定片２５を一対の本体板２０，２１の間に挟み込む（図１参照）。つまり、ユーザは、一対の本体板２０，２１を表裏反転させ、提示面Ｓを表側にする。
【００４０】
以上によって、ボード部２が提示面Ｓを表側に露出させた標準ボード１１になる（図９参照）。なお、標準ボード１１の左右方向の寸法は、本体板２０，２１の左右方向の寸法と略同一となる。
【００４１】
次に、図９に示すように、ユーザは、一対の屈曲板３１の上部に凹設された一対の嵌合溝３３に、標準ボード１１を差し込む。図１に示すように、標準ボード１１の下部（固定片２５側）は一対の嵌合溝３３に嵌合し、各嵌合溝３３の内縁に突設された複数の嵌合凸部３３Ａは標準ボード１１（本体板２０，２１）に圧接する。以上によって、標準ボード１１は支持台３に起立姿勢に支持される。
【００４２】
＜拡張ボード＞
次に、図２および図１０を参照して、ボード部２を拡張ボード１２にする場合について説明する。図１０はボード部２を拡張ボード１２に変形させる過程を示す斜視図である。
【００４３】
標準ボード１１の組み立て手順と同様に、ユーザは、固定片２５を引き剥がして本体板２１を開き、折り畳まれた支持台３を取り出して自立可能な形態にする。
【００４４】
次に、図１０に示すように、ユーザは、提示面Ｓに重なった二対の拡張板２２，２３を、一対の本体板２０，２１と同一面を成すように第３折曲線Ｌ３に沿って開く。また、ユーザは、剥がした固定片２５（第２額縁部２６）を反転させ、本体板２０の裏ライナ９Ｃに重ねる。
【００４５】
続いて、ユーザは、各拡張板２２に貼付された両面テープ２７の剥離紙２７Ａを剥がす。規制テープ２８が剥離紙２７Ａの下部を固定しているため、剥離紙２７Ａは、上方から規制テープ２８まで剥がれて、規制テープ２８で剥離が停止する。つまり、規制テープ２８は、剥がされた剥離紙２７Ａの分離を規制する。ユーザは、剥がした剥離紙２７Ａを規制テープ２８に沿って左右方向の中央側に折り返す。剥離紙２７Ａは、規制テープ２８との境界で横方向に反転され、拡張板２２と本体板２０との裏ライナ９Ｃに重ねられる。
【００４６】
ユーザは、裏ライナ９Ｃ（他面）を対向させるように一方の本体板２０に対して他方の本体板２１を折り返す（図１０の矢印参照）。つまり、ユーザは、一対の本体板２０，２１を表裏反転させ、提示面Ｓを表側にする。固定片２５および剥がされた各剥離紙２７Ａは、一対の本体板２０，２１の間に挟まれる。裏ライナ９Ｃを対向させた２つの拡張板２２，２３は、規制テープ２８に分離規制された剥離紙２７Ａを挟み込み、両面テープ２７を介して接合される。
【００４７】
以上によって、ボード部２が提示面Ｓを表側に露出させた拡張ボード１２になる（図２参照）。なお、拡張ボード１２は、二対の拡張板２２，２３を開いた分だけ、標準ボード１１よりも左右方向（第２方向）に長くなる。
【００４８】
次に、ユーザは、一対の屈曲板３１の嵌合溝３３に、拡張ボード１２の積層された本体板２０，２１を差し込む（図２参照）。以上によって、拡張ボード１２は支持台３に起立姿勢に支持される。
【００４９】
展示パネル１は、標準ボード１１または拡張ボード１２を支持台３に支持させた形態で店頭に展示される。なお、上記した輸送ケース１０、標準ボード１１および拡張ボード１２の組み立て手順は、一例であって、矛盾の無い範囲で適宜変更することができる。
【００５０】
以上説明した本実施形態に係る展示パネル１では、輸送ケース１０とされたボード部２が店舗へ輸送され、店頭で開梱されたボード部２が一対の本体板２０，２１を表裏反転されて店頭に展示されていた。この構成によれば、展示パネル１（ボード部２）がＰＲ資料等の物品を包装するための輸送ケース１０として兼用されるため、輸送用の箱が不要になり、輸送のための包装にかかるコストを低減することができると共に、輸送後に箱を廃棄する手間を無くすことができる。また、本実施形態に係る展示パネル１では、一対の本体板２０，２１を表裏反転させる際、二対の拡張板２２，２３を折り返して一対の本体板２０，２１の間に挟むことで標準ボード１１が構成され、二対の拡張板２２，２３を広げて一対の本体板２０，２１から左右両側に延設させることで拡張ボード１２が構成されていた。この構成によれば、左右方向の長さが異なる２種のボード１１，１２を構成することができる。これにより、設置場所の広さ等に応じて展示パネル１のサイズを変更することができる。
【００５１】
また、本実施形態に係る展示パネル１によれば、ボード部２を拡張ボード１２にした場合に、表裏で重なり合う２つの拡張板２２，２３が両面テープ２７を介して接合されるため、拡張板２２，２３が本体板２０，２１との境界を支点に開くことを防止することができる。また、剥がされた剥離紙２７Ａは規制テープ２８によって拡張板２２に固定されるため、剥離紙２７Ａが遊離してゴミになることを防止することができる。
【００５２】
仮に、両面テープ２７が上下方向（第１方向）に延びるように貼付され、規制テープ２８が両面テープ２７を横方向に横断するように貼付されている場合、上方から剥がされた剥離紙２７Ａは規制テープ２８に沿って下方に折り返されて、拡張板２２，２３よりも下方に伸長することになる。つまり、剥がされた剥離紙２７Ａがボード部２から露出する可能性がある。これに対し、本実施形態に係る展示パネル１では、規制テープ２８が剥がされた剥離紙２７Ａを本体板２０に向けて折り返す境界となるように両面テープ２７を斜めに横断していた。この構成によれば、剥がされた剥離紙２７Ａを規制テープ２８に沿って折り返すことで、本体板２０に向かって延在させることができる。これにより、剥がされた剥離紙２７Ａを前後一対の本体板２０，２１の間に挟み込むことができ、剥離紙２７Ａがボード部２の外側に露出することを防止することができる。
【００５３】
また、本実施形態に係る展示パネル１によれば、重なり合った一対の本体板２０，２１を一対の嵌合溝３３に嵌合させることで、本体板２０，２１（標準ボード１１、拡張ボード１２）を起立姿勢に保持することができる。また、各ボード１１，１２（提示面Ｓ）は支持台３によって設置面から任意の高さに保持されるため、提示面Ｓに提示された広告等の情報を見やすくすることができる。これにより、顧客への情報提示の実効性を高めることができ、高い訴求効果を期待することができる。
【００５４】
［変形例］
次に、図１１および図１２Ａ〜Ｃを参照して、本実施形態の変形例に係る展示パネル１について説明する。図１１は変形例に係るボード部２のブランク２Ａを示す平面図である。図１２Ａは標準ボード１１の一部を示す断面図である。図１２Ｂは第１の拡張ボード１３の一部を示す断面図である。図１２Ｃは第２の拡張ボード１４の一部を示す断面図である。なお、以下の説明では、上記した展示パネル１と同一または対応する構成には同一の符号を付し、これらの説明は省略する。
【００５５】
図１１に示すように、変形例に係る展示パネル１では、各々の拡張板２２，２３が１つの第４折曲線Ｌ４によって２つの分割板４０，４１に区画されている。流れ方向（左右方向）の外側の分割板４０，４１は、内側の分割板４０，４１よりも流れ方向に長く形成されている。このため、外側の分割板４０，４１は、第４折曲線Ｌ４で折り返されると、内側の分割板４０，４１を横断して本体板２０，２１にも重なる（図１２Ｂ参照）。また、両面テープ２７および規制テープ２８は、流れ方向の外側の分割板４０の裏ライナ９Ｃに貼付されている。
【００５６】
図１２Ａに示すように、ボード部２を標準ボード１１にする場合、全ての分割板４０，４１が一対の本体板２０，２１の間に挟み込まれる。なお、ボード部２を輸送ケース１０にする場合も、標準ボード１１にする場合と同様である（図示せず）。
【００５７】
一方、ボード部２を拡張ボード１３，１４にする場合、左右方向の内側の二対の分割板４０，４１または全ての分割板４０，４１が一対の本体板２０，２１と同一面を成すように開かれ、裏ライナ９Ｃ（他面）を対向させるように一方の本体板２０に対して他方の本体板２１が折り返される。具体的には、図１２Ｂに示すように、内側の分割板４０，４１が開かれ、外側の分割板４０，４１が折り返された場合、標準ボード１１よりも幅広い第１の拡張ボード１３が構成される。この際、折り返された外側の分割板４０，４１は、一対の本体板２０，２１の間に挟まれる。一方で、図１２Ｃに示すように、全ての分割板４０，４１が開かれた場合、第１の拡張ボード１３よりも更に幅広い第２の拡張ボード１４が構成される。なお、外側の分割板４０，４１は、両面テープ２７で接合される。
【００５８】
以上説明した本実施形態の変形例に係る展示パネル１によれば、任意に選択した分割板４０，４１を折り返す、または広げることで、拡張ボード１２の左右方向の長さを３段階に変更することができる。これにより、設置場所の広さ等に応じて展示パネル１（ボード１１，１３，１４）のサイズを変更することができる。
【００５９】
なお、本実施形態の変形例に係る展示パネル１では、各拡張板２２，２３が１つの第４折曲線Ｌ４によって２つの分割板４０，４１に区画されていたが、本考案はこれに限定されない。各々の拡張板２２，２３は、２つ以上の第４折曲線Ｌ４によって３つ以上の分割板４０，４１に区画されていてもよい（図示せず）。この場合、左右方向の最も外側の分割板４０，４１が折り返された状態で本体板２０，２１に挟まれるように形成されるとよい。
【００６０】
なお、本実施形態（変形例を含む。以下同じ。）に係る展示パネル１では、拡張ボード１２〜１４を構成する際に、左右両側の拡張板２２，２３または分割板４０，４１（以下、「拡張板２２，２３等」と呼ぶ。）が広げられていたが、本考案はこれに限定されない。例えば、他の拡張ボード１２として、二対の拡張板２２，２３等のうち左右方向の片側の２つの拡張板２２，２３等が広げられ、反対側の２つの拡張板２２，２３等が一対の本体板２０，２１の間に挟み込まれてもよい（図示せず）。この構成によれば、左右両側の拡張板２２，２３等を広げた拡張ボード１２，１３よりも左右方向に短く、標準ボード１１よりも左右方向に長い、他の拡張ボード（図示せず）を構成することができる。これにより、展示パネル１の左右方向の長さを多段階に変更することができる。また、拡張板２２，２３等に印刷されたデザインを提示したり隠したりすることができ、提示可能なデザインのバリエーションを増やすこともできる。
【００６１】
また、本実施形態に係る展示パネル１では、拡張板２２（分割板４０）に両面テープ２７および規制テープ２８が貼付されていたが、本考案はこれに限定されない。例えば、両面テープ２７および規制テープ２８は拡張板２３（分割板４１）に貼付されていてもよいし、両拡張板２２，２３等に貼付されてもよい（図示せず）。つまり、両面テープ２７および規制テープ２８は拡張板２２，２３等の少なくとも一方に貼付されればよい。また、表裏の拡張板２２，２３等が両面テープ２７で接合されていたが、これに限らず、例えば、表裏の拡張板２２，２３等は、接着剤で接合されてもよいし、表裏の提示面Ｓに架け渡すように粘着テープを貼付してもよい（図示せず）。この場合、規制テープ２８は不要になる。
【００６２】
また、本実施形態に係る展示パネル１では、一対の本体板２０，２１が上端部（段方向の一端部）で連設されていたが、本考案はこれに限定されない。例えば、一対の本体板２０，２１が、左右方向の一端部（流れ方向の一端部）で連設されてもよい（図示せず）。また、第１額縁部２４が省略され、一対の本体板２０，２１が直接連設されてもよい（図示せず）。
【００６３】
また、本実施形態に係る展示パネル１では、各種のボード１１〜１４の下方が固定片２５側とされていたが、固定片２５側を上方としてもよい（図示せず）。また、固定片２５や第２額縁部２６は省略されてもよい。
【００６４】
また、本実施形態に係る展示パネル１では、ボード部２が紙製の両面段ボールシートで形成され、支持台３が積層された厚紙で形成されていたが、本考案はこれに限定されない。ボード部２は、片面段ボール、複両面段ボール、複々両面段ボール等で形成されてもよいし、支持台３と同様に厚紙で形成されてもよい。支持台３は、ボード部２と同様に、各種の段ボールで形成されてもよい。また、展示パネル１の各部の寸法（幅、奥行き、高さ）や形状、段ボールシート等の厚みや中しん９Ａ（紙目）が延びる方向等は自由に変更してもよい。
【００６５】
なお、上記実施形態の説明は、本考案に係る展示パネルにおける一態様を示すものであって、本考案の技術範囲は、上記実施形態に限定されるものではない。本考案の技術範囲は、上記実施形態に限定されるものではない。本考案は技術的思想の趣旨を逸脱しない範囲において様々に変更、置換、変形されてもよく、実用新案登録請求の範囲は技術的思想の範囲内に含まれ得る全ての実施態様を含んでいる。
【符号の説明】
【００６６】
１    展示パネル
２    ボード部
３    支持台
１０  輸送ケース
１１  標準ボード
１２  拡張ボード
１３  第１の拡張ボード（拡張ボード）
１４  第２の拡張ボード（拡張ボード）
２０，２１  本体板
２２，２３  拡張板
２７    両面テープ
２７Ａ  剥離紙
２８    規制テープ
３０    脚本体板
３１    屈曲板
３３    嵌合溝
４０，４１  分割板
Ｌ４    第４折曲線（折曲線）
Ｓ      提示面
【図１】
0003232697.tif 000003
【図２】
0003232697.tif 000004
【図３】
0003232697.tif 000005
【図４】
0003232697.tif 000006
【図５】
0003232697.tif 000007
【図６】
0003232697.tif 000008
【図７】
0003232697.tif 000009
【図８】
0003232697.tif 000010
【図９】
0003232697.tif 000011
【図１０】
0003232697.tif 000012
【図１１】
0003232697.tif 000013
【図１２Ａ】
0003232697.tif 000014
【図１２Ｂ】
0003232697.tif 000015
【図１２Ｃ】
0003232697.tif 000016